(57)【要約】  無線制御装置（１０）は、マクロセル基地局（２０ｂ）が収容するマクロセルに在圏するＵＥ（３０）から接続要求があった場合に、呼接続を実施する。続いて、無線制御装置（１０）は、マクロセル基地局（２０ｂ）が収容するマクロセルに在圏するＵＥ（３０）から接続要求があった場合に、ＵＥ（３０）が在圏するマクロセルに隣接または重複するフェムトセルと、そのフェムトセルを収容するフェムト基地局（２０ａ）を探索する。無線制御装置（１０）は、探索されたフェムト基地局に対してリジェームを指示する。その後、無線制御装置（１０）は、フェムトセルへハンドオーバする旨をＵＥ（３０）に対して指示する。
2010004639.tif 000002
【特許請求の範囲】
【請求項１】
基地局によって形成されるセルに在圏する移動機から接続要求があった場合に、該移動機を前記セルに接続する接続手段と、
前記接続手段によって接続された前記セルに隣接または重複するフェムトセルを形成するフェムト基地局を探索するフェムト基地局探索手段と、
前記フェムト基地局探索手段によって探索された前記フェムト基地局に対してレジュームを指示するレジューム指示手段と、
前記フェムト基地局探索手段によって探索された前記フェムトセルへハンドオーバする旨を前記移動機に対して指示するハンドオーバ指示手段と、
を備えたことを特徴とする無線制御装置。
【請求項２】
前記接続手段によって接続された前記移動機が、前記フェムト基地局探索手段によって探索された前記フェムト基地局へのアクセスが許可されている移動機であるか否かを判定するアクセス判定手段をさらに備え、
前記レジューム指示手段は、前記アクセス判定手段によって前記フェムト基地局へのアクセスが許可されていると判定された場合には、前記フェムト基地局に対してレジュームを指示することを特徴とする請求項１に記載の無線制御装置。
【請求項３】
前記フェムト基地局探索手段は、前記接続手段によって接続された前記セルに隣接または重複するフェムトセルと、当該フェムトセルを形成するフェムト基地局とを探索できなかった場合には、前記セルで通信を継続または通信を切断することを特徴とする請求項１または２に記載の無線制御装置。
【請求項４】
基地局と移動機との無線通信を制御する無線制御装置が、
該基地局によって形成されるセルに在圏する移動機から接続要求があった場合に、該移動機を前記セルに接続する接続手段と、
前記無線制御装置が、前記接続手段によって接続された前記セルに隣接または重複するフェムトセルを形成するフェムト基地局を探索するフェムト基地局探索手段と、
前記無線制御装置が、前記フェムト基地局探索手段によって探索された前記フェムト基地局に対してレジュームを指示するレジューム指示手段と、
前記無線制御装置が、前記フェムト基地局探索手段によって探索された前記フェムトセルへハンドオーバする旨を前記移動機に対して指示するハンドオーバ指示手段と、
を備えたことを特徴とする移動通信システム。
【請求項５】
前記無線制御装置が、前記接続手段によって接続された前記移動機が前記フェムト基地局探索手段によって探索された前記フェムト基地局へのアクセスが許可されている移動機であるか否かを判定するアクセス判定手段をさらに備え、
前記レジューム指示手段は、前記アクセス判定手段によって前記フェムト基地局へのアクセスが許可されていると判定された場合には、前記フェムト基地局に対してレジュームを指示することを特徴とする請求項４に記載の移動通信システム。
【請求項６】
前記フェムト基地局探索手段は、前記接続手段によって接続された前記セルに隣接または重複するフェムトセルを形成するフェムト基地局を探索できなかった場合には、前記セルで通信を継続または通信を切断することを特徴とする請求項４または５に記載の移動通信システム。
【請求項７】
基地局によって形成されるセルに在圏する移動機から接続要求があった場合に、当該移動機を前記セルに接続する接続手段と、
前記接続手段によって接続された前記セルに隣接または重複するフェムトセルを形成するフェムト基地局を探索するフェムト基地局探索手段と、
前記フェムト基地局探索手段によって探索された前記フェムト基地局に対してレジュームを指示するレジューム指示手段と、
前記フェムト基地局探索手段によって探索された前記フェムトセルへハンドオーバする旨を前記移動機に対して指示するハンドオーバ指示手段と、
を備えたことを特徴とする基地局。
【請求項８】
前記接続手段によって接続された前記移動機が、前記フェムト基地局探索手段によって探索された前記フェムト基地局へのアクセスが許可されている移動機であるか否かを判定するアクセス判定手段をさらに備え、
前記レジューム指示手段は、前記アクセス判定手段によって前記フェムト基地局へのアクセスが許可されていると判定された場合には、前記フェムト基地局に対してレジュームを指示することを特徴とする請求項７に記載の基地局。
【請求項９】
前記フェムト基地局探索手段は、前記接続手段によって接続された前記セルに隣接または重複するフェムトセルを形成するフェムト基地局を探索できなかった場合には、前記セルで通信を継続または通信を切断することを特徴とする請求項７または８に記載の基地局。
【請求項１０】
基地局によって形成されるセルに在圏する移動機から接続要求があった場合に、当該移動機を前記セルに接続する接続ステップと、
前記接続ステップによって接続された前記セルに隣接または重複するフェムトセルと、当該フェムトセルを形成するフェムト基地局とを探索するフェムト基地局探索ステップと、
前記フェムト基地局探索ステップによって探索された前記フェムト基地局に対してレジュームを指示するレジューム指示ステップと、
前記フェムト基地局探索ステップによって探索された前記フェムトセルへハンドオーバする旨を前記移動機に対して指示するハンドオーバ指示ステップと、
を含んだことを特徴とする移動体通信方法。
【請求項１１】
前記接続ステップによって接続された前記移動機が、前記フェムト基地局探索ステップによって探索された前記フェムト基地局へのアクセスが許可されている移動機であるか否かを判定するアクセス判定ステップをさらに含み、
前記レジューム指示ステップは、前記アクセス判定ステップによって前記フェムト基地局へのアクセスが許可されていると判定された場合には、前記フェムト基地局に対してレジュームを指示することを特徴とする請求項１０に記載の移動体通信方法。
【請求項１２】
前記フェムト基地局探索ステップは、前記接続ステップによって接続された前記セルに隣接または重複するフェムトセルを形成するフェムト基地局とを探索できなかった場合には、前記セルで通信を継続または通信を切断することを特徴とする請求項１０または１１に記載の移動体通信方法。
【請求項１３】
基地局によって形成されるセルに在圏する移動機から接続要求があった場合に、当該移動機を前記セルに接続する接続手順と、
前記接続手順によって接続された前記セルに隣接または重複するフェムトセルを形成するフェムト基地局とを探索するフェムト基地局探索手順と、
前記フェムト基地局探索手順によって探索された前記フェムト基地局に対してレジュームを指示するレジューム指示手順と、
前記フェムト基地局探索手順によって探索された前記フェムトセルへハンドオーバする旨を前記移動機に対して指示するハンドオーバ指示手順と、
をコンピュータに実行させることを特徴とする移動体通信プログラム。
【請求項１４】
前記接続手順によって接続された前記移動機が、前記フェムト基地局探索手順によって探索された前記フェムト基地局へのアクセスが許可されている移動機であるか否かを判定するアクセス判定手順をさらにコンピュータに実行させ、
前記レジューム指示手順は、前記アクセス判定手順によって前記フェムト基地局へのアクセスが許可されていると判定された場合には、前記フェムト基地局に対してレジュームを指示することを特徴とする請求項１３に記載の移動体通信プログラム。
【請求項１５】
前記フェムト基地局探索手順は、前記接続手順によって接続された前記セルに隣接または重複するフェムトセルと、当該フェムトセルを形成するフェムト基地局とを探索できなかった場合には、前記セルで通信を継続または通信を切断することを特徴とする請求項１３または１４に記載の移動体通信プログラム。
【発明の詳細な説明】
【技術分野】
【０００１】
この発明は、移動機をハンドオーバさせる無線制御装置、移動通信システム、基地局、移動体通信方法および移動体通信プログラムに関する。
【背景技術】
【０００２】
近年、フェムト（Ｆｅｍｔｏ）基地局と呼ばれる基地局が知られている。フェムト基地局の１例としては、これまでのマクロセル（半径１ｋｍ〜数ｋｍ）より小さい範囲（数１０ｍ〜数ｍ）のフェムトセルをカバーする基地局が挙げられる。フェムト基地局の用途としては、不感地対策（例えば、地上や地下）や限定エリア（例えば、家庭、オフィスまたは施設）などでユーザ向けのサービス提供を行うことが挙げられる。【０００３】
このようなフェムト基地局を用いた場合には、建物内など電波が届きにくい環境においても密なエリアをカバーすることができる。また、１つ１つのエリアが狭くても基地局自体を多く設置してセル１つあたりの携帯電話の数を少なくすることで繋がりやすくでき、サービス提供のためのバックボーンを強化することができる。【０００４】
実際に、国内外のメーカや携帯電話事業者においてフェムト基地局の開発、および、フェムト基地局の導入が開始されている。また、業界団体（フェムトフォーラム）の設立や、標準化への取り込み（例えば、３ＧＰＰにおけるＨｏｍｅ  ｅＮｏｄｅＢ規格）など業界動向もますます活発化している。【０００５】
ところで、通常の基地局（以下、マクロセル基地局という）や、フェムト基地局において、エコロジーや省エネのために、省電力モードに移行し電波の出力を停止する機能が追加する技術が知られている（特許文献１および２参照）。【０００６】
ところが、マクロセル基地局では、通信インフラストラクチャとしてダウンすることが許されず、また、大勢の不特定多数のユーザに使用されることから電力消費を抑えるために無線基地局の処理を抑制することが許容されなかった。このようなことから、マクロセル基地局に省電力モードへ移行する機能を追加することがなかった。【０００７】
一方、エリアやユーザが限定されているフェムト基地局では、未使用状態が続く場合（例えば、アクセスするユーザがいない場合）に、無線基地局の処理を抑制することで省電力モードに移行させることが許容可能と考えられる（図１２参照）。このことから、フェムト基地局に省電力モードへ移行する機能を追加することが考えられる。【０００８】
【特許文献１】特開２００７−２７４２０８号公報
【特許文献２】特開２００２−１５８６０９号公報
【発明の開示】
【発明が解決しようとする課題】
【０００９】
しかしながら、上記のフェムト基地局が省電力モードへ移行する技術では、フェムト基地局が省電力モードに移行して電波の出力を停止した場合に、移動機側からフェムト基地局を捕捉および通信できなくなる（図１３参照）。この結果、省電力モード時のフェムト基地局を適切に復旧することができないという課題があった。【００１０】
そこで、この発明は、省電力モード時のフェムト基地局を適切に復旧させることを目的とする。
【課題を解決するための手段】
【００１１】
上述した課題を解決し、目的を達成するため、この装置は、移動機と接続されたマクロセルに隣接または重複するフェムトセルと、そのフェムトセルを形成するフェムト基地局とを探索する。そして、探索されたフェムト基地局に対してレジュームを指示し、探索されたフェムトセルへハンドオーバする旨を移動機に対して指示することを要件とする。
【発明の効果】
【００１２】
省電力モード時のフェムト基地局を適切に復旧させることが可能となる。
【図面の簡単な説明】
【００１３】
【図１】図１は、実施例１に係る無線制御装置の構成を示すブロック図である。
【図２】図２は、移動通信システムの一例を説明するための図である。
【図３】図３は、マクロセル情報記憶部の一例を説明するための図である。
【図４】図４は、隣接セル情報記憶部の一例を説明するための図である。
【図５】図５は、フェムト基地局情報記憶部の一例を説明するための図である。
【図６】図６は、アクセス権情報記憶部の一例を説明するための図である。
【図７】図７は、省電力モードのフェムト基地局への再接続処理を説明するための図である。
【図８】図８は、実施例１に係る無線制御装置の処理の流れを示すシーケンス図である。
【図９】図９は、実施例１に係る無線制御装置の処理の流れを示すシーケンス図である。
【図１０】図１０は、移動通信システムの他の一例を説明するための図である。
【図１１】図１１は、移動体通信プログラムを実行するコンピュータを示す図である。
【図１２】図１２は、従来技術を説明するための図である。
【図１３】図１３は、従来技術を説明するための図である。
【符号の説明】
【００１４】
１０  無線制御装置
１１  制御部
１１ａ  呼接続部
１１ｂ  フェムト基地局探索部
１１ｃ  アクセス許可判定部
１１ｄ  リジェーム指示部
１１ｅ  ハンドオーバ指示部
１２  記憶部
１２ａ  マクロセル情報記憶部
１２ｂ  隣接セル情報記憶部
１２ｃ  フェムト基地局情報記憶部
１２ｄ  アクセス権情報記憶部
２０ａ  フェムト基地局
２０ｂ  基地局
３０  ＵＥ
４０  ネットワーク
【発明を実施するための最良の形態】
【００１５】
以下に添付図面を参照して、この発明に係る無線制御装置、移動通信システム、基地局、移動体通信方法および移動体通信プログラムの実施例を詳細に説明する。
【実施例１】
【００１６】
以下の実施例では、実施例１に係る無線制御装置の構成および処理の流れを順に説明し、最後に実施例１による効果を説明する。【００１７】
［無線制御装置の構成］
まず最初に、図１〜図７を用いて、無線制御装置１０の構成を説明する。図１は、実施例１に係る無線制御装置の構成を示すブロック図である。図２は、移動通信システムの一例を説明するための図である。図３は、マクロセル情報記憶部の一例を説明するための図である。図４は、隣接セル情報記憶部の一例を説明するための図である。図５は、フェムト基地局情報記憶部の一例を説明するための図である。図６は、アクセス権情報記憶部の一例を説明するための図である。図７は、省電力モードのフェムト基地局への再接続処理を説明するための図である。【００１８】
図１に示すように、無線制御装置１０を含む移動通信システム１では、無線制御装置（ＲＮＣ（Radio  Network  Controller））１０と、ＮｏｄｅＢ（フェムト基地局装置および基地局）２０ａ〜２０ｎと、ＵＥ（User  Equipment、移動機）３０と、ネットワーク４０とを含む。【００１９】
無線制御装置１０は、複数のＮｏｄｅＢ２０ａ〜２０ｎを管理し、無線通信を実現するために必要な各種制御を実行する通信制御装置である。ＮｏｄｅＢ２０ａ〜２０ｎは、所定の広さを有する無線通信領域であるセルを収容し、自局が収容するセル内に位置するＵＥ３０に対してＲａｄｉｏ  Ｌｉｎｋ（無線リンク）を提供する通信装置である。なお、ＮｏｄｅＢ２０のうちフェムト基地局２０ａは、ここでは、例示的に、基地局２０ｂよりもセルの範囲が狭い。【００２０】
フェムト基地局（ＮｏｄｅＢ）２０ａは、未使用状態が続く場合（例えば、アクセスするユーザがいない場合）に、無線基地局の処理を抑制する省電力モードに移行する。【００２１】
ＵＥ３０は、移動可能な無線通信装置であり、例えば、携帯電話端末である。ネットワーク４０は、大容量の広域ネットワークである。ＵＥ３０は、自身が所在するセルを収容しているＮｏｄｅＢ２０ａ〜２０ｎを介して他の移動機等と通信をおこなう。【００２２】
例えばＵＥ３０が、ＮｏｄｅＢ２０ａによって収容されたセル１の領域内にある場合には、ＵＥ３０とＮｏｄｅＢ２０ａの間にＲａｄｉｏ  Ｌｉｎｋが設定され、設定されたＲａｄｉｏ  Ｌｉｎｋを通じて他のＵＥ等と通信をおこなう。【００２３】
また、ＵＥ３０は、省電力モードに移行し電波の出力を停止しているフェムト基地局（ＮｏｄｅＢ）２０ａを捕捉できない場合には、フェムト基地局配下のセルと隣接または重複している別の基地局（以降マクロセル基地局という）２０ｂを捕捉する。【００２４】
ここで、無線制御装置１０の構成について詳しく説明する。図２に示すように、無線制御装置１０は、制御部１１および記憶部１２を備える。以下にこれらの各部の処理を説明する。【００２５】
記憶部１２は、制御部１１による各種処理に必要なデータおよびプログラムを格納するが、特に、マクロセル情報記憶部１２ａ、隣接セル情報記憶部１２ｂ、フェムト基地局情報記憶部１２ｃおよびアクセス権情報記憶部１２ｄを備える。【００２６】
マクロセル情報記憶部１２ａは、各マクロセル基地局が収容しているセルに関する情報をマクロセル情報として記憶している。具体的には、マクロセル情報記憶部１２ａは、図３に例示するように、マクロセル基地局を一意に識別する「基地局ＩＤ」と、各マクロセル基地局が収容しているセルを一意に識別する「セルＩＤ」とを対応付けて記憶する。【００２７】
隣接セル情報記憶部１２ｂは、各セルにそれぞれ隣接するセルを対応付けて記憶している。具体的には、隣接セル情報記憶部１２ｂは、図４に例示するように、セルを一意に識別する「セルＩＤ」と、各セルに隣接するセルＩＤを「隣接セル」として対応付けて記憶する。【００２８】
フェムト基地局情報記憶部１２ｃは、各フェムト基地局が収容しているセルに関する情報をフェムト基地局情報として記憶している。具体的には、フェムト基地局情報記憶部１２ｃは、図５に例示するように、フェムト基地局を一意に識別する「フェムト基地局ＩＤ」と、各フェムト基地局が収容しているセルを一意に識別する「セルＩＤ」とを対応付けて記憶する。【００２９】
アクセス権情報記憶部１２ｄは、各フェムト基地局がアクセスを許可しているＵＥに関する情報を記憶している。具体的には、アクセス権情報記憶部１２ｄは、図６に例示するように、フェムト基地局を一意に識別する「フェムト基地局ＩＤ」と、各フェムト基地局がアクセスを許可しているＵＥを一意に識別する「アクセス許可ＵＥ」とを対応付けて記憶する。【００３０】
制御部１１は、各種の処理手順などを規定したプログラムおよび所要データを格納するための内部メモリを有し、これらによって種々の処理を実行する。特に、呼接続部１１ａ、フェムト基地局探索部１１ｂ、アクセス許可判定部１１ｃ、リジェーム指示部１１ｄ、ハンドオーバ指示部１１ｅを備える。【００３１】
呼接続部１１ａは、マクロセル基地局２０ｂが収容するマクロセルに在圏するＵＥ３０から接続要求があった場合に、呼接続を実施する。具体的な例を挙げて説明すると、例えば、フェムト基地局２０ａが省電力モードであって、フェムト基地局２０ａを捕捉できないために、ＵＥ３０がマクロセル基地局２０ｂを捕捉する。このような場合に、呼接続部１１ａは、マクロセル基地局２０ｂを捕捉したＵＥ３０から接続要求を受け付けると、マクロセル基地局２０ｂを経由してＵＥ３０〜無線制御装置１０間で通信ＣＨを確立して、呼接続を実施する。【００３２】
フェムト基地局探索部１１ｂは、マクロセル基地局２０ｂが収容するマクロセルに在圏するＵＥ３０から接続要求があった場合に、ＵＥ３０が在圏するマクロセルに隣接または重複するフェムトセルと、そのフェムトセルを収容するフェムト基地局２０ａを探索する。【００３３】
具体的には、フェムト基地局探索部１１ｂは、呼接続部１１ａによってマクロセル基地局２０ｂと呼接続されたＵＥ３０が在圏しているマクロセルのセルＩＤ（例えば、セルＩＤ「２−２」）をマクロセル情報記憶部１２ａから読み出す。そして、フェムト基地局探索部１１ｂは、読み出されたセルＩＤに隣接するセルＩＤ（例えば、セルＩＤ「１−２」、「１−３」、「２−３」）を隣接セル情報記憶部１２ｂから読み出す。【００３４】
そして、フェムト基地局探索部１１ｂは、読み出されたセルＩＤ（上記の例では、セルＩＤ「２−２」、「１−２」、「１−３」、「２−３」）に対応するセルを、自己が収容するフェムトセルとしているフェムト基地局ＩＤ（例えば、セルＩＤ「２−２」のセルを収容しているフェムト基地局ＩＤ「１」）をフェムト基地局情報記憶部１２ｃから探索する。なお、ＵＥ３０が在圏するマクロセルに隣接または重複するフェムトセルが見つからなかった場合には、以降の処理を実施せずにマクロセルのままで通信を継続、もしくは通信を切断する。【００３５】
アクセス許可判定部１１ｃは、接続要求をしたＵＥ３０が探索されたフェムト基地局２０ａへのアクセスが許可されているＵＥであるか否かを判定する。具体的には、アクセス許可判定部１１ｃは、フェムト基地局探索部１１ｂによって探索されたフェムト基地局ＩＤ（例えば、「１」）へのアクセスが許可されているＵＥの識別子（例えば、「Ａ」、「Ｂ」、「Ｃ」・・）をアクセス権情報記憶部１２ｄから読み出す。【００３６】
そして、アクセス許可判定部１１ｃは、読み出されたＵＥの識別子（例えば、「Ａ」、「Ｂ」、「Ｃ」・・）のうち、呼接続部１１ａによって呼接続されたＵＥ３０の識別子（例えば、「Ａ」）があるか否かを判定する。その結果、アクセス許可判定部１１ｃは、呼接続部１１ａによって呼接続されたＵＥ３０の識別子がある場合には、フェムト基地局２０ａへのアクセスが許可されているものとして、リジェーム指示部１１ｄに通知する。【００３７】
また、アクセス許可判定部１１ｃは、呼接続部１１ａによって呼接続されたＵＥ３０の識別子がない場合には、以降の処理を実施せずにマクロセルのままで通信を継続もしくは切断する。なお、通常の携帯電話からのサービスアクセス時に端末識別子とパスワードを送信してチェックを実施しているのと同様の技術で十分実現が可能である。【００３８】
このようなアクセスが許可されているＵＥ３０であるか否かの処理については、例えば、限定ユーザへのサービス提供やエリア向けサービス提供の場合に、不特定ユーザの接続を防ぐためのセキュリティチェックとして、フェムト基地局への接続を許可されているユーザか否かをチェックする。なお、不感地対策の場合には、不特定多数のユーザが使用すると考えられるため接続ユーザがフェムト基地局へのアクセス権を持っているか否かの確認を行わなくてもよい。【００３９】
リジェーム指示部１１ｄは、探索されたフェムト基地局に対してリジェームを指示する。具体的には、リジェーム指示部１１ｄは、フェムト基地局探索部１１ｂによって探索されたフェムト基地局（上記の例では、フェムト基地局ＩＤ「１」）への接続が許可されているＵＥ３０の場合には、フェムト基地局探索部１１ｂによって探索されたフェムト基地局に対して省電力モードからの復旧を示すリジェームを指示する。なお、遠隔での省電力モードからの復旧制御（リジューム指示）については、シャットダウンされたパソコンに対してＬＡＮ経由でＷａｋｅ  Ｕｐを指示するのと同様の技術で十分実現が可能である。【００４０】
ハンドオーバ指示部１１ｅは、フェムトセルへハンドオーバする旨をＵＥ３０に対して指示する。具体的には、ハンドオーバ指示部１１ｅは、フェムト基地局２０ａからリジェーム完了通知を受信すると、接続中のマクロセルからフェムト基地局探索部１１ｂによって探索されたセルＩＤ（上記の例では、セルＩＤ「２−２」）のフェムトセルに対してＵＥ３０をハンドオーバさせる。【００４１】
つまり、省電力モードから復旧させたフェムト基地局配下のフェムトセルに対してハンドオーバさせる結果、フェムト基地局の電力消費を抑えつつ、移動機からの接続要求を契機として、省電力モード時のフェムト基地局を適切に復旧させることが可能である。【００４２】
ここで、省電力モードから復旧させたフェムト基地局配下のフェムトセルに対してハンドオーバを指示する無線制御装置１０の全体の処理の流れについて、図７を用いて説明する。同図に示すように、無線制御装置（ＲＮＣ）１０は、マクロセル基地局２０ｂを捕捉したＵＥ３０から接続要求を受け付けると（図７の（１）参照）、マクロセル基地局２０ｂを経由してＵＥ３０〜無線制御装置１０間で通信ＣＨを確立して、呼接続を実施する。【００４３】
そして、無線制御装置１０は、接続要求をしたＵＥ３０が在圏するマクロセルに隣接または重複するフェムトセルと、そのフェムトセルを収容するフェムト基地局２０ａを探索する（図７の（２）参照）。続いて、無線制御装置１０は、接続要求をしたＵＥ３０が探索されたフェムト基地局２０ａへのアクセスが許可されているＵＥであるか否かを判定する。【００４４】
その結果、無線制御装置１０は、アクセスが許可されているＵＥである場合には、フェムト基地局２０ａを省電力モードから復旧させる（図７の（３）参照）。そして、無線制御装置１０は、ＵＥ３０が接続中であるマクロセルから探索されたセルＩＤのフェムトセルに対してハンドオーバさせる（図７の（４）参照）。【００４５】
［無線制御装置による処理］
次に、図８および図９を用いて、実施例１に係る無線制御装置１０による処理を説明する。図８および図９は、実施例１に係る無線制御装置の処理の流れを示すシーケンス図である。【００４６】
同図に示すように、フェムト基地局２０ａが省電力モードに移行し電波の出力を停止している状態であるため（ステップＳ１０１）、ＵＥ３０は、フェムト基地局２０ａを捕捉できず、マクロセル基地局２０ｂを捕捉して、無線制御装置１０に接続要求を行う（ステップＳ１０２）。【００４７】
そして、無線制御装置１０は、マクロセル基地局２０ｂを捕捉したＵＥ３０から接続要求を受け付けると、マクロセル基地局２０ｂを経由してＵＥ３０〜無線制御装置１０間で通信ＣＨを確立して、呼接続を実施する（ステップＳ１０３）。その後、ＵＥ３０は、マクロセル基地局２０ｂ経由で通信を行う（ステップＳ１０４）。【００４８】
続いて、無線制御装置１０は、ＵＥ３０に接続されたマクロセルに隣接または重複するフェムトセルと、そのフェムトセルを収容するフェムト基地局２０ａを探索する（ステップＳ１０５）。そして、無線制御装置１０は、ＵＥ３０に接続されたマクロセルに隣接または重複するフェムトセルが存在するか否かを判定する（ステップＳ１０６）。【００４９】
その結果、無線制御装置１０は、ＵＥ３０に接続されたマクロセルに隣接または重複するフェムトセルが存在しないと判定した場合には（ステップＳ１０６否定）、以降の処理を実施せずにマクロセルのままで通信を継続、もしくは通信を切断する。【００５０】
また、無線制御装置１０は、ＵＥ３０に接続されたマクロセルに隣接または重複するフェムトセルが存在すると判定した場合には（ステップＳ１０６肯定）、ＵＥ３０が探索されたフェムトセルを収容するフェムト基地局２０ａへのアクセスが許可されているＵＥであるか否かを判定する（ステップＳ１０７）。【００５１】
その結果、無線制御装置１０は、ＵＥ３０がフェムト基地局２０ａへのアクセスが許可されていないと判定した場合には（ステップＳ１０７否定）、以降の処理を実施せずにマクロセルのままで通信を継続、もしくは通信を切断する。【００５２】
また、無線制御装置１０は、ＵＥ３０がフェムト基地局２０ａへのアクセスが許可されていると判定した場合には（ステップＳ１０７肯定）、探索されたフェムト基地局に対してリジェームを指示する（ステップＳ１０８）。リジェーム指示を受け付けたフェムト基地局２０ａは、省電力モードから復旧し、電波送信を再開する（ステップＳ１０９）。そして、フェムト基地局２０ａは、リジェーム完了通知を無線制御装置１０に通知する（ステップＳ１１０）。【００５３】
その後、無線制御装置１０は、フェムト基地局２０ａからリジェーム完了通知を受信すると、接続中のマクロセルから探索されたフェムトセルに対してハンドオーバをＵＥ３０に指示する（ステップＳ１１１）。そして、ハンドオーバを指示されたＵＥ３０は、フェムト基地局２０ａが収容するフェムトセルへハンドオーバし（ステップＳ１１２）、フェムト基地局２０ａ経由で通信を行う（ステップＳ１１３）。【００５４】
また、上記の図８の説明では、ＵＥ３０からの接続要求を契機として無線制御装置１０の処理を開始する場合を説明したが、図９に示すように、ＵＥ３０に対する接続要求を契機として無線制御装置１０の処理を開始してもよい。【００５５】
つまり、図９に示すように、無線制御装置１０は、ＵＥ３０に対する接続要求を受信すると（ステップＳ２０１）、フェムト基地局２０ａが省電力モードに移行し電波の出力を停止している状態である場合には（ステップＳ２０２）、マクロセル基地局２０ｂとの接続指示を行う（ステップＳ２０３）。【００５６】
その後、無線制御装置１０は、図８で説明した処理と同様の処理を行って、省電力モードから復旧させたフェムト基地局２０ａ配下のフェムトセルに対してＵＥ３０をハンドオーバさせる（ステップＳ２０４〜Ｓ２１４）。【００５７】
[実施例１の効果]
上述してきたように、無線制御装置１０は、省電力モードから復旧させたフェムト基地局２０ａ配下のフェムトセルに対してＵＥ３０をハンドオーバさせる。その結果、フェムト基地局２０ａの電力消費を抑えつつ、省電力モード時のフェムト基地局を適切に復旧させることが可能である。【００５８】
また、実施例１によれば、探索されたフェムト基地局２０ａへのアクセスが許可されているＵＥ３０であるか否かを判定し、フェムト基地局２０ａへのアクセスが許可されていると判定された場合には、フェムト基地局２０ａに対してレジュームを指示する。この結果、フェムト基地局２０ａに対する不特定ユーザの接続を防ぐためのセキュリティチェックを行うことが可能である。【００５９】
また、実施例１によれば、接続されたマクロセルに隣接または重複するフェムトセルと、そのフェムトセルを収容するフェムト基地局とを探索できなかった場合には、マクロセルで通信を継続または通信を切断する。そのため、ＵＥ３０に接続されたマクロセルに隣接または重複するフェムトセルおよびフェムト基地局が探索できない場合でも、通信を継続または通信の切断をすることが可能である。
【実施例２】
【００６０】
さて、これまで本発明の実施例について説明したが、本発明は上述した実施例以外にも、種々の異なる形態にて実施されてよいものである。そこで、以下では実施例２として本発明に含まれる他の実施例を説明する。【００６１】
（１）移動通信システム
また、上記の実施例１では、無線制御装置が基地局とＵＥとの無線通信を制御する移動通信システムに本発明を適用する場合を説明したが、本発明はこれに限定されるものではなく、基地局とＵＥとで構成される移動通信システムに本発明を適用してもよい。【００６２】
具体的には、図１０に例示するように、無線制御装置がなく、基地局ｅＮＢ（ｅｎｈａｎｃｅｄ  ＮｏｄｅＢ）とＵＥとで構成される移動通信システムにおいて、各基地局ｅＮＢに本発明を適用する。【００６３】
（２）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、呼接続部１１ａとフェムト基地局探索部１１ｂを統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。【００６４】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。【００６５】
（３）プログラム
ところで、上記の実施例で説明した各種の処理は、あらかじめ用意されたプログラムをコンピュータで実行することによって実現することができる。そこで、以下では、図１１を用いて、上記の実施例と同様の機能を有するプログラムを実行するコンピュータの一例を説明する。図１１は、移動体通信プログラムを実行するコンピュータを示す図である。【００６６】
同図に示すように、無線制御装置としてのコンピュータ６００は、ＨＤＤ６１０、ＲＡＭ６２０、ＲＯＭ６３０およびＣＰＵ６４０をバス６５０で接続して構成される。【００６７】
そして、ＲＯＭ６３０には、上記の実施例と同様の機能を発揮する移動体通信プログラム、つまり、図１１に示すように、呼接続プログラム６３１、フェムト基地局探索プログラム６３２、アクセス許可判定プログラム６３３、リジェーム指示プログラム６３４およびハンドオーバ指示プログラム６３５が予め記憶されている。なお、プログラム６３１〜６３５については、図２に示した無線制御装置の各構成要素と同様、適宜統合または分散してもよい。【００６８】
そして、ＣＰＵ６４０が、これらのプログラム６３１〜６３５をＲＯＭ６３０から読み出して実行することで、図１１に示すように、各プログラム６３１〜６３５は、呼接続プロセス６４１、フェムト基地局探索プロセス６４２、アクセス許可判定プロセス６４３、リジェーム指示プロセス６４４およびハンドオーバ指示プロセス６４５として機能するようになる。各プロセス６４１〜６４５は、図２に示した呼接続部１１ａ、フェムト基地局探索部１１ｂ、アクセス許可判定部１１ｃ、リジェーム指示部１１ｄ、ハンドオーバ指示部１１ｅにそれぞれ対応する。【００６９】
また、ＨＤＤ６１０には、図１１に示すように、マクロセルテーブル６１１、隣接セルテーブル６１２、フェムト基地局テーブル６１３、アクセス権テーブル６１４が設けられる。なお、マクロセルテーブル６１１、隣接セルテーブル６１２、フェムト基地局テーブル６１３、アクセス権テーブル６１４は、図２に示したマクロセル情報記憶部１２ａ、隣接セル情報記憶部１２ｂ、フェムト基地局情報記憶部１２ｃおよびアクセス権情報記憶部１２ｄに対応する。【００７０】
そして、ＣＰＵ６４０は、マクロセルテーブル６１１、隣接セルテーブル６１２、フェムト基地局テーブル６１３、アクセス権テーブル６１４に対してデータを登録するとともに、マクロセルテーブル６１１、隣接セルテーブル６１２、フェムト基地局テーブル６１３、アクセス権テーブル６１４からマクロセルデータ６２１、隣接セルデータ６２２、フェムト基地局データ６２３およびアクセス権データ６２４を読み出してＲＡＭ６２０に格納し、ＲＡＭ６２０に格納されたマクロセルデータ６２１、隣接セルデータ６２２、フェムト基地局データ６２３およびアクセス権６２４に基づいて情報を管理する処理を実行する。
【図１】
2010004639.tif 000003
【図２】
2010004639.tif 000004
【図３】
2010004639.tif 000005
【図４】
2010004639.tif 000006
【図５】
2010004639.tif 000007
【図６】
2010004639.tif 000008
【図７】
2010004639.tif 000009
【図８】
2010004639.tif 000010
【図９】
2010004639.tif 000011
【図１０】
2010004639.tif 000012
【図１１】
2010004639.tif 000013
【図１２】
2010004639.tif 000014
【図１３】
2010004639.tif 000015
【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
基地局によって形成されるセルに在圏する移動機から接続要求があった場合に、該移動機を前記セルに接続する接続手段と、
前記接続手段によって接続された前記セルに隣接または重複するフェムトセルを形成するフェムト基地局を探索するフェムト基地局探索手段と、
前記フェムト基地局探索手段によって探索された前記フェムト基地局に対してレジュームを指示するレジューム指示手段と、
前記フェムト基地局探索手段によって探索された前記フェムトセルへハンドオーバする旨を前記移動機に対して指示するハンドオーバ指示手段と、
を備えたことを特徴とする無線制御装置。
【請求項２】
前記接続手段によって接続された前記移動機が、前記フェムト基地局探索手段によって探索された前記フェムト基地局へのアクセスが許可されている移動機であるか否かを判定するアクセス判定手段をさらに備え、
前記レジューム指示手段は、前記アクセス判定手段によって前記フェムト基地局へのアクセスが許可されていると判定された場合には、前記フェムト基地局に対してレジュームを指示することを特徴とする請求項１に記載の無線制御装置。
【請求項３】
前記フェムト基地局探索手段は、前記接続手段によって接続された前記セルに隣接または重複するフェムトセルと、当該フェムトセルを形成するフェムト基地局とを探索できなかった場合には、前記セルで通信を継続または通信を切断することを特徴とする請求項１または２に記載の無線制御装置。
【請求項４】
基地局と移動機との無線通信を制御する無線制御装置が、
該基地局によって形成されるセルに在圏する移動機から接続要求があった場合に、該移動機を前記セルに接続する接続手段と、
前記無線制御装置が、前記接続手段によって接続された前記セルに隣接または重複するフェムトセルを形成するフェムト基地局を探索するフェムト基地局探索手段と、
前記無線制御装置が、前記フェムト基地局探索手段によって探索された前記フェムト基地局に対してレジュームを指示するレジューム指示手段と、
前記無線制御装置が、前記フェムト基地局探索手段によって探索された前記フェムトセルへハンドオーバする旨を前記移動機に対して指示するハンドオーバ指示手段と、
を備えたことを特徴とする移動通信システム。
【請求項５】
前記無線制御装置が、前記接続手段によって接続された前記移動機が前記フェムト基地局探索手段によって探索された前記フェムト基地局へのアクセスが許可されている移動機であるか否かを判定するアクセス判定手段をさらに備え、
前記レジューム指示手段は、前記アクセス判定手段によって前記フェムト基地局へのアクセスが許可されていると判定された場合には、前記フェムト基地局に対してレジュームを指示することを特徴とする請求項４に記載の移動通信システム。
【請求項６】
前記フェムト基地局探索手段は、前記接続手段によって接続された前記セルに隣接または重複するフェムトセルを形成するフェムト基地局を探索できなかった場合には、前記セルで通信を継続または通信を切断することを特徴とする請求項４または５に記載の移動通信システム。
【請求項７】
基地局によって形成されるセルに在圏する移動機から接続要求があった場合に、当該移動機を前記セルに接続する接続手段と、
前記接続手段によって接続された前記セルに隣接または重複するフェムトセルを形成するフェムト基地局を探索するフェムト基地局探索手段と、
前記フェムト基地局探索手段によって探索された前記フェムト基地局に対してレジュームを指示するレジューム指示手段と、
前記フェムト基地局探索手段によって探索された前記フェムトセルへハンドオーバする旨を前記移動機に対して指示するハンドオーバ指示手段と、
を備えたことを特徴とする基地局。
【請求項８】
前記接続手段によって接続された前記移動機が、前記フェムト基地局探索手段によって探索された前記フェムト基地局へのアクセスが許可されている移動機であるか否かを判定するアクセス判定手段をさらに備え、
前記レジューム指示手段は、前記アクセス判定手段によって前記フェムト基地局へのアクセスが許可されていると判定された場合には、前記フェムト基地局に対してレジュームを指示することを特徴とする請求項７に記載の基地局。
【請求項９】
前記フェムト基地局探索手段は、前記接続手段によって接続された前記セルに隣接または重複するフェムトセルを形成するフェムト基地局を探索できなかった場合には、前記セルで通信を継続または通信を切断することを特徴とする請求項７または８に記載の基地局。
【請求項１０】
基地局によって形成されるセルに在圏する移動機から接続要求があった場合に、当該移動機を前記セルに接続する接続ステップと、
前記接続ステップによって接続された前記セルに隣接または重複するフェムトセルと、当該フェムトセルを形成するフェムト基地局とを探索するフェムト基地局探索ステップと、
前記フェムト基地局探索ステップによって探索された前記フェムト基地局に対してレジュームを指示するレジューム指示ステップと、
前記フェムト基地局探索ステップによって探索された前記フェムトセルへハンドオーバする旨を前記移動機に対して指示するハンドオーバ指示ステップと、
を含んだことを特徴とする移動体通信方法。
【国際調査報告】
2010004639.tif 000016
2010004639.tif 000017
2010004639.tif 000018
2010004639.tif 000019